(57)【要約】      （修正有）【課題】攜帶便利や使用簡単かつ紛失なくて便利的に収納できる利点が得られるイヤホン分離可能の携帯電話を提供する。【解決手段】上端部に凹槽１１が形成され、外側において横方向に沿って凹槽１１に連通された貫通穴１４が形成される携帯電話本体１０と、内部に充電電池とブルートゥース装置があり、縦方向に沿って対応するように凹槽１１内に挿設され、貫通穴１４に位置して携帯電話本体１０に電気的に接続されるイヤホン２０と、が含有される。そのため、イヤホン２０が貫通穴１４に挿設されると受信することができ、また、イヤホン２０と携帯電話本体１０とが分離されると、イヤホン２０をブルートゥースイヤホンとして利用できる。【選択図】図１
0003191534.tif 000002
【実用新案登録請求の範囲】
【請求項１】
上端部に凹槽が形成され、外側において、横方向に沿って、上記凹槽に連通された貫通穴が形成される、携帯電話本体と、
内部に充電電池とブルートゥース装置があり、縦方向に沿って対応するように上記凹槽内に挿設され、上記貫通穴に位置して、上記携帯電話本体に電気的に接続される、イヤホンとが含有され、
上記イヤホンが上記凹槽内に挿設されて、上記携帯電話本体が、上記貫通穴を通して上記イヤホンでユーザーが受信でき、また、上記イヤホンが上記携帯電話本体から分離された時、上記イヤホンが、上記ブルートゥース装置を利用して、上記携帯電話本体と上記イヤホンとの間に無線信号を伝送する、ことを特徴とするイヤホン分離可能の携帯電話。
【請求項２】
上記携帯電話本体の凹槽に挿設穴が設けられ、上記イヤホンにグリップ部があり、上記グリップ部が対応的に上記挿設穴に挿設されると、上記携帯電話本体と上記イヤホンとが電気的に接続される、ことを特徴とする請求項１に記載のイヤホン分離可能の携帯電話。
【請求項３】
上記グリップ部の一端に上記イヤホンが接続され、もう一端の底部にタッチ部材が設置され、上記タッチ部材の上方に充電部と受信装置が設けられ、上記受信装置が上記充電部と上記タッチ部材との間に位置する、ことを特徴とする請求項２に記載のイヤホン分離可能の携帯電話。
【請求項４】
上記グリップ部に上記イヤホンが枢着され、上記イヤホンが上記グリップ部に対して回転できる、ことを特徴とする請求項２に記載のイヤホン分離可能の携帯電話。
【請求項５】
上記イヤホンの両側に、それぞれ、伸縮可能の係止部材が設けられ、上記イヤホンがユーザーの耳の中に係止できる、ことを特徴とする請求項１に記載のイヤホン分離可能の携帯電話。
【請求項６】
上記イヤホンがＬ形状に設置される、ことを特徴とする請求項１に記載のイヤホン分離可能の携帯電話。
【請求項７】
上記イヤホンが直立形状に設置される、ことを特徴とする請求項１に記載のイヤホン分離可能の携帯電話。
【請求項８】
上記イヤホンの頂面中心に受話ボタンが設けられ、上記受話ボタンの週側に、更に、音声調整ボタンと電源指示灯が設けられる、ことを特徴とする請求項１に記載のイヤホン分離可能の携帯電話。
【請求項９】
上記イヤホンのグリップ部が上記凹槽の挿設穴に挿設された時、上記携帯電話本体が、上記充電部で、上記イヤホンの充電電池に対して充電する、ことを特徴とする請求項２に記載のイヤホン分離可能の携帯電話。
【考案の詳細な説明】
【技術分野】
【０００１】
本考案は、携帯電話に関し、特に、イヤホンを分離可能で、携帯に便利になり、また、使用や保管がより簡単になる携帯電話に関する。
【背景技術】
【０００２】
日常生活には、携帯電話が、既に、不可欠の物になり、従来の携帯電話は、殆ど、ハンドフリーイヤホンや無線受送信設備を有せず、使用過程において、手で持つことが必要となるが、多い状況において、従来の携帯電話を利用できなく、例えば、運伝や運動等の場合、非常に不便であり、また、従来の携帯電話の手で持って受送信を行うことを解消するために、外部接続式有線イヤホンや無線ブルートゥースイヤホンがあり、ユーザーが、運伝や運動等を行いながらも、利用することができる。
【０００３】
上記の従来の携帯電話の上記外部接続式イヤホンと上記無線ブルートゥースイヤホンは、次の問題がある。
１．上記従来の携帯電話に、上記外部接続式有線イヤホンや上記無線ブルートゥースイヤホンを収納することができないため、紛失や見つけない問題がある。
２．上記外部接続式有線イヤホンを、上記従来の携帯電話に接続する時、上記従来の携帯電話の上記外部接続式有線イヤホンに接続する接続線が、容易に絡みつく問題がある。
３．上記無線ブルートゥースイヤホンを、上記外部接続式有線イヤホンの代わりに使用する場合、使用過程において、上記従来の携帯電話自身の受送信設備が使用されなくて、無駄になり、また、上記無線ブルートゥースイヤホンを適当な収納方法を有しないため、ユーザーが、常に上記無線ブルートゥースイヤホンを、耳に掛けなければならなく、長時間に、耳に掛けると、ユーザーの耳が、不快適になる問題がある。
【０００４】
本考案者は、上記欠点を解消するため、慎重に研究し、また、学理を活用して、有効に上記欠点を解消でき、設計が合理である考案を提案する。
【考案の開示】
【考案が解決しようとする課題】
【０００５】
本考案は、イヤホン分離可能の携帯電話を提供し、本考案によれば、上記イヤホンを、上記凹槽に組み合わせることにより、一体や分離に設置することができ、これにより、本考案は、攜帶便利や使用簡単、そして、便利的に収納できる利点が得られる。
【課題を解決するための手段】
【０００６】
本考案によれば、携帯電話本体は、上端部に凹槽が形成され、外側において、横方向に沿って、上記凹槽に連通された貫通穴が形成され、イヤホンは、内部に充電電池とブルートゥース装置があり、上記イヤホンが、縦方向に沿って対応するように、上記凹槽内に挿設され、上記イヤホンが、上記貫通穴に位置して、上記携帯電話本体に電気的に接続される。
【０００７】
本考案に係るイヤホン分離可能の携帯電話は、ユーザーが、上記イヤホンを、上記携帯電話本体の凹槽内に対応して挿設すると、上記イヤホンが、上記貫通穴を通して、ユーザーが受信でき、また、上記イヤホン内に、上記充電電池が設置され、上記イヤホンが上記凹槽内にセットされる時、上記携帯電話本体が、更に、上記イヤホン内の充電電池に対して充電し、また、ユーザーが、上記イヤホンを上記携帯電話本体から分離する時、上記イヤホン内に上記ブルートゥース装置があるため、上記イヤホンがブルートゥースイヤホンとして使用でき、そのため、ユーザーが、運伝や運動等の時、上記イヤホンを耳に掛けることができ、また、使用した後、上記イヤホンを上記凹槽に挿設すれば、上記イヤホンが上記携帯電話本体に一体的に組立てられる。
【０００８】
以下、図面を参照しながら、本実用新案の特徴や技術内容について、詳しく説明するが、それらの図面等は、参考や説明のためであり、本実用新案は、それによって制限されることが無い。
【図面の簡単な説明】
【０００９】
【図１】本考案のより良い実施例の外観立体図である。
【図２】本考案のより良い実施例の分解立体図である。
【図３】本考案のより良い実施例のイヤホンの態様の立体図である。
【図４】本考案の第二実施例の外観立体図である。
【図５】本考案の第二実施例の分解立体図である。
【考案を実施するための形態】
【００１０】
図１乃至図３のように、本考案のより良い実施例のイヤホン分離可能の携帯電話であり、
携帯電話本体１０があり、上記携帯電話本体１０は、頂部に凹槽１１が設けられ、上記凹槽１１が上記携帯電話本体１０の周縁の一側までに伸び、上記凹槽１１の所定位置に挿設穴１２が形成され、外側に開口１３が設けられ、上記開口１３が上記凹槽１１の一側に位置し、また、外側において、横方向に沿って貫通穴１４が形成され、上記貫通穴１４が上記凹槽１１に連通され、
イヤホン２０があり、上記イヤホン２０は、外観がほぼ円柱状で、内部に充電電池（図に未表示）とブルートゥース装置（図に未表示）があり、頂面に受話ボタン２１と音声調整ボタン２２及び電源指示灯２３が設けられ、上記受話ボタン２１が、上記イヤホン２０の頂面の中心に位置し、上記音声調整ボタン２２が上記受話ボタン２１の両側に位置し、上記電源指示灯２３が上記受話ボタン２１の一側に位置し、そして、上記イヤホン２０の両側に、それぞれ、伸縮可能の係止部材２４が設けられ、上記イヤホン２０の外周壁において、横方向に沿って、Ｌ形状のグリップ部２５が枢着され、上記グリップ部２５の一端が上記イヤホン２０に対して回転でき、また、もう一端に、タッチ部材２５１が設けられ、上記タッチ部材２５１を利用して、ユーザーがタッチ制御することができ、また、上記グリップ部２５の外周壁に、上記タッチ部材２５１の近くに、更に、受信装置２５２と充電部２５３が設けられ、上記充電部２５３が上記受信装置２５２の上方に位置する。
【００１１】
図１と図２は、本考案のより良い実施例の立体図と分解立体図であり、上記イヤホン２０に上記グリップ部２５が枢着され、上記グリップ部２５がL形状であって、上記イヤホン２０の全体としてＬ形状になり、また、上記凹槽１１が上記イヤホン２０の全体外型に対応して設置され、そのため、上記イヤホン２０のグリップ部２５が、上記携帯電話本体１０の挿設穴１２に対応して挿設されることができ、上記イヤホン２０が上記凹槽１１内にセットされ、上記イヤホン２０が上記貫通穴１４の対向にして位置し、これにより、上記グリップ部２５が上記挿設穴１２に挿設される時、上記イヤホン２０と上記携帯電話本体１０とが、電気的に接続される状態になり、上記携帯電話本体１０は、上記充電部２５３で、上記イヤホン２０内の充電電池（図に未表示）に対して充電でき、同時に、上記イヤホン２０は、上記貫通穴１４を通して、ユーザーが上記携帯電話本体１０で受信することができ、また、上記イヤホン２０と上記携帯電話本体１０とが分離される時、ユーザーが、上記開口１３を通して、上記イヤホン２０を上記凹槽１１から取り出し、また、上記らの係止部材２４で、上記イヤホン２０が安定的にユーザーの耳に係止され、この時、上記イヤホン２０が、上記ブルートゥース装置（図示せず）を介して、上記携帯電話本体１０と無線信号伝送を行い、ユーザーが、上記グリップ部２５と上記イヤホン２０の枢着角度で、上記グリップ部２５を最適の受信位置に調整でき、そのため、上記グリップ部２５の受信装置２５２の受信がよくなる。
【００１２】
また、イヤホン２０と上記携帯電話本体１０とが、一体に組み立てられた時、上記イヤホン２０に受信の機能があり、上記グリップ部２５に、更に、上記受信装置２５１が設置されるため、上記イヤホン２０が上記携帯電話本体１０の受送信に利用される。
【００１３】
図４と図５は、本考案の第二実施例の立体図と分解立体図であり、上記イヤホンの２０の外側表面に、上記受話ボタン２１と上記音声調整ボタン２２及び上記電源指示灯２３が設けられ、その設置方式は、より良い実施例と同じ、上記イヤホン２０のグリップ部２５が、直立状で、上記イヤホン２０が直立形状に設置され、上記グリップ部２５と上記イヤホン２０とが枢着でなく一体になり、また、上記グリップ部２５の一端に、より良い実施例と同じ、上記タッチ部材２５１と上記受信装置２５２及び上記充電部２５３が設けられ、上記携帯電話本体１０の凹槽１１の内形状が、上記イヤホン２０の外型に対応し、同時に、上記凹槽１１の中央において、縦方向に沿って、挿設穴１２が設けられ、そのため、上記イヤホン２０のグリップ部２５が、縦方向に沿って、上記挿設穴１２に挿設され、また、上記イヤホン２０が、上記携帯電話本体１０の受送信に利用でき、また、上記携帯電話本体１０は、上記グリップ部２５の充電部２５３で、上記イヤホン２０内の充電電池（図に未表示）に対して充電でき、そして、上記イヤホン２０と上記携帯電話本体１０とが、分離された時、上記イヤホン２０も、より良い実施例と同じ、ユーザーが、上記係止部材２４を利用して、安定的に、ユーザーの耳に掛けられ、同時に、上記イヤホン２０に、上記ブルートゥース装置（図示せず）が設けられ、上記ブルートゥース装置（図示せず）で、上記携帯電話本体１０と無線信号を伝送でき、そのため、イヤホン２０をブルートゥースイヤホンとして利用され、これにより、本実施例は、より良い実施例と同じように、上記凹槽１１と上記イヤホン２０との組み立てを利用して、攜帶便利や使用簡単、そして、紛失なくて便利的に収納できる利点が得られる。
【００１４】
また、本考案のより良い実施例と第二実施例は、イヤホン２０の外側に、ともに、受話ボタン２１と上記音声調整ボタン２２及び上記電源指示灯２３が設けられ、ユーザーが、上記イヤホン２０を耳に掛けると、ユーザーが、上記受話ボタン２１で、上記携帯電話本体の来電通話を受送信でき、また、更に、上記音声調整ボタン２２で音声の大きさを調整でき、また、上記電源指示灯２３は、上記イヤホン２０内の充電電池（図示せず）の電力量に対応して、異なる色の灯光で指示でき、ユーザーが、上記電源指示灯２３で、上記イヤホン２０内の充電電池（図示せず）の電力量が分かり、また、ユーザーが、最も良い時宜で、上記イヤホン２０のグリップ部２５を上記携帯電話本体１０に挿設して、上記充電電池（図示せず）に対して充電できる。
【００１５】
また、本考案のより良い実施例と第二実施例によれば、係止部材２４は、伸縮可能の作用を有し、上記イヤホン２０と上記携帯電話本体１０とが、一体に組立てられた時、上記係止部材２４が上記イヤホン２０の両側に収納され、図１のように、上記イヤホン２０が、スムーズに、上記凹槽１１に収納され、また、上記イヤホン２０が上記携帯電話本体１０から分離された時、上記係止部材２４が上記イヤホン２０の両側へ押さえて突出させることにより、図２のように、ユーザーが上記イヤホン２０を安定的に耳に掛ける。
【００１６】
そのため、本考案は、より進歩的かつより実用的で、法に従って実用新案登録請求を出願する。
【００１７】
以上は、ただ、本実用新案のより良い実施例であり、本実用新案は、それによって制限されることが無く、本実用新案に係わる実用新案登録請求の範囲や明細書の内容に基づいて行った等価の変更や修正は、全てが、本実用新案の実用新案登録請求の範囲内に含まれる。
【符号の説明】
【００１８】
１０   携帯電話本体
１１   凹槽
１２   挿設穴
１３   開口
１４   貫通穴
２０   イヤホン
２１   受話ボタン
２２   音声調整ボタン
２３   電源指示灯
２４   係止部材
２５   グリップ部
２５１ タッチ部材
２５２ 受信装置
２５３ 充電部 
【図１】
0003191534.tif 000003
【図２】
0003191534.tif 000004
【図３】
0003191534.tif 000005
【図４】
0003191534.tif 000006
【図５】
0003191534.tif 000007